(57)【要約】【課題】組立・設置を容易に実現することができる法面保護板型パネルを提供すること、また、金属部材を使わずに、従来技術相当の強度を有する法面保護板型パネルを提供することを目的とする。【解決手段】法面に設置される法面保護板型パネルであって、角柱形状に形成された縦木と、所定厚みを有する平板状に形成された横木とを備え、該横木には、上面に本実凸部、下面に本実凹部が形成され、また、前記横木の左右端部近傍には、前記縦木が接合される横木凹部が形成され、複数の前記横木が、前記本実凸部と前記本実凹部とで接合され、前記縦木が、前記横木凹部に嵌合して接合されていることを特徴とする。【選択図】  図１
0003216997.tif 000002
【実用新案登録請求の範囲】
【請求項１】
法面に設置される法面保護板型パネルであって、
角柱形状に形成された縦木と、
所定厚みを有する平板状に形成された横木とを備え、
該横木には、上面に本実凸部、下面に本実凹部が形成され、また、前記横木の左右端部近傍には、前記縦木が接合される横木凹部が形成され、
複数の前記横木が、前記本実凸部と前記本実凹部とで接合され、
前記縦木が、前記横木凹部に嵌合して接合されている
ことを特徴とする法面保護板型パネル。
【請求項２】
前記横木凹部と前記縦木との接合部に接着剤が塗布され、該接合部に竹櫛が打ち込まれている
ことを特徴とする請求項１に記載の法面保護板型パネル。
【請求項３】
請求項１又は請求項２に記載の法面保護板型パネルを、複数接合又は連結して構成されている
ことを特徴とする法面保護板型パネルシステム。
【考案の詳細な説明】
【技術分野】
【０００１】
本考案は、保護板型パネルに関し、特に、法面に設置される木製の法面保護板型パネル及びこの法面保護板型パネルを用いた法面保護板型パネルシステムに関するものである。
【背景技術】
【０００２】
従来から、山間部等の法面には、土砂崩れ防止等のために、法面保護手段が設置されており、この法面保護手段としては、コンクリート製の擁壁や、自然環境に配慮した木製の法面保護板型パネルが知られている。なお、木製の法面保護板型パネルを、以下、単に「法面保護板型パネル」という。
【０００３】
上記の法面保護板型パネルとしては、例えば、特許文献１には、「掘削幅が少なくて済み、施工効率が向上する保護パネルを提供」（段落「０００６」参照。）するために、「法面に設置される保護パネルであって、下端側が地盤に埋設され、上方に延びる芯棒と、前記芯棒に固定され、前記芯棒と直交する方向に延び、上下方向に複数重ねられた横材と、を備え、前記横材には、上下方向に延びる軸上において、複数の前記横材にわたって欠き込まれ、前記芯棒が挿通される芯棒係合部が形成された保護パネル」（「請求項１」参照。）が記載されている。
【先行技術文献】
【特許文献】
【０００４】
【特許文献１】登録実用新案第３１９０９１８号公報
【考案の概要】
【考案が解決しようとする課題】
【０００５】
ところで、上記特許文献１には、「芯棒１０は、直径６ｃｍで長さが１．８ｍの防腐処理された円柱形状の杉材で形成されているが、寸法や材質は施工場所における土質や法面の傾斜角度に応じて任意の寸法及び材質とすることができる。横材２０は、芯棒１０に固定され、芯棒１０と直交する方向（図１に示す左右方向）に延び、上下方向（図１に示す上下方向）に１５本重ねられている。本実施形態において、横材２０は、直径１０ｃｍで長さが２ｍの円柱形状の杉材で形成されている。即ち、横材２０の直径は、芯棒１０の直径より大きく形成されている。なお、横材２０の寸法、材質、重ねる本数は、施工場所における土質や法面の傾斜角度に応じて任意の寸法、材質、重ねる本数にすることができる」（段落「００１６」、「００１７」、図１〜図４参照。）と記載されている。ここで、「芯棒１０」は「直径６ｃｍ」、「横棒２０」は「直径１０ｃｍ」であり、通常、「小径材」（丸太で最小径が14センチメートル 未満のもの）と呼ばれる木材が利用されることが多い。そして、この小径材には間伐材を利用されることが広く知られており、また、従来、間伐材は、主伐材よりも安価に購入することが可能であったので、製造コストの低減化に寄与していた。
【０００６】
しかしながら、近年、国内外の間伐材の需要拡大により、小径の間伐材の資源数の減少、資源数の減少による価格の高騰等により、法面保護板型パネルの「芯棒１０」や「横棒２０」用途の間伐材の低価格での購入が困難になってきた。そこで、間伐小径材に代わる木材で「法面保護板型パネル」を実現することが急務の事業課題となったが、技術的課題としては、組立・設置等が容易にできること、法面を保護するので従来技術相当の強度を有すること等が挙げられる。
【０００７】
そこで、本考案は、組立・設置を容易に実現することができる法面保護板型パネルを提供することを目的とする。
【０００８】
また、本考案は、金属部材を使わずに、従来技術相当の強度を有する法面保護板型パネルを提供することを目的とする。
【課題を解決するための手段】
【０００９】
上記の目的を達成するため、請求項１の考案では、法面に設置される法面保護板型パネルであって、角柱形状に形成された縦木と、所定厚みを有する平板状に形成された横木とを備え、該横木には、上面に本実凸部、下面に本実凹部が形成され、また、前記横木の左右端部近傍には、前記縦木が接合される横木凹部が形成され、複数の前記横木が、前記本実凸部と前記本実凹部とで接合され、前記縦木が、前記横木凹部に嵌合して接合されていることを特徴とする。
【００１０】
また、請求項２の考案では、請求項１に記載の法面保護板型パネルであって、前記横木凹部と前記縦木との接合部に接着剤が塗布され、該接合部に竹櫛が打ち込まれていることを特徴とする。
【００１１】
また、請求項３の考案では、請求項１又は請求項２に記載の法面保護板型パネルを、複数接合又は連結して構成されている法面保護板型パネルシステムであることを特徴とする。
【考案の効果】
【００１２】
本考案の法面保護板型パネルによれば、設置現場での組立・設置を容易に実現することができるので、工期の短縮を図ることができ、結果として、設置費用の削減を図ることができるという顕著な効果を奏する。
【００１３】
また、本考案の法面保護板型パネルによれば、複数の横木が本実接合で接合された構成であり、縦木と横木とが大入れ接ぎにより接合され（縦木が横木凹部に嵌合されて接合され）た構成であり、縦木と横木との接合部には接着剤が塗布された構成であり、該接合部には竹櫛が打ち込まれた構成であるので、従来技術の法面保護板型パネルよりも高い強度を有することができるという顕著な効果を奏する。
【図面の簡単な説明】
【００１４】
【図１】本考案の実施形態における法面保護板型パネルの正面図である。
【図２】本考案の実施形態における法面保護板型パネルの背面図である。
【図３】本考案の実施形態における法面保護板型パネルの左側面図である。
【図４】本考案の実施形態における法面保護板型パネルの右側面図である。
【図５】本考案の実施形態における法面保護板型パネルの平面図である。
【図６】本考案の実施形態における法面保護板型パネルの底面図である。
【図７】本考案の実施形態における横木の接合状態を説明する図である。
【図８】本考案の実施形態における竹櫛の打ち込み状態を説明する図である。
【図９】本考案の実施形態における法面保護板型パネルシステムの外観斜視図である。
【考案を実施するための形態】
【００１５】
以下、好適な実施形態を用いて本考案をさらに具体的に説明する。但し、下記の実施形態は本考案を具現化した例に過ぎず、本考案はこれに限定されるものではない。なお、説明の便宜上、本明細書で示す上，下，前，後，左，右の方向は、図中で示す矢印の上，下，前，後，左，右の方向と対応するものとする。
【００１６】
（実施形態）
本考案の実施形態における法面保護板型パネル１について、図１〜図８を参照しながら説明する。図１は、本考案の実施形態における法面保護板型パネル１の正面図であり、図２は、本考案の実施形態における法面保護板型パネル１の背面図であり、図３は、本考案の実施形態における法面保護板型パネル１の左側面図であり、図４は、本考案の実施形態における法面保護板型パネル１の右側面図であり、図５は、本考案の実施形態における法面保護板型パネル１の平面図であり、図６は、本考案の実施形態における法面保護板型パネル１の底面図であり、図７は、本考案の実施形態における横木（４，５）の接合状態を説明する図であり、図８は、本考案の実施形態における竹櫛１２の打ち込み状態を説明する図であり、図９は、本考案の実施形態における法面保護板型パネルシステム１００の外観斜視図である。
【００１７】
法面保護板型パネル１は、山等に形成されている土地の斜面である法面に設置するために構成されたものであり、左側縦木２と、右側縦木３と、複数の横木４，５と、複数の竹櫛５を備えている。
【００１８】
左側縦木２は、角柱形状の杉材で形成されている。右側縦木３は、左側縦木２と同一素材で、同一形状（同一長さ、同一径）に形成されている。左側縦木２は、法面保護板型パネル１の左端近傍の所定位置に上下方向に延在して配設され、右側縦木３は、法面保護板型パネル１の右端近傍の所定位置に上下方向に延在して配設される。左側縦木２及び右側縦木３の上端は、上端横木４よりも上方に所定長突出しており、左側縦木２及び右側縦木３の下端は、最下部の汎用横木５よりも下方に所定長突出している。左側縦木２、及び、右側縦木３は、複数の横木４，５を連結固定する作用を備える。なお、法面保護板型パネル１を構成する各部材は、防腐処理が施されてもよい。
【００１９】
複数の横木４，５は、一つの上端横木４と、複数の汎用横木５から構成されている。上端横木４は、法面保護板型パネル１の上端部のみに配設され、汎用横木５は、法面保護板型パネル１の上端部以外の横木として複数配設されている。
【００２０】
上端横木４には、所定の厚みを有する長尺の平板状に加工された杉材が用いられる。上端横木４の下面には、本実凹部６が形成されている。汎用横木５は、厚さ、長さは、上端横木４と同一の杉材で形成され、下面に形成された本実凹部６に加え、上面には、本実凸部７が形成されている。上端横木４と複数の汎用横木５とは、本実凹部６に本実凸部７を嵌合して連結することができる。
【００２１】
上端横木４の左右両端近傍には、正面側の表面から所定の深さで、左右の縦木２，３と略同幅で、上下方向に横木左凹部８及び横木右凹部９が形成されている。同様に、汎用横木５の左右両端近傍には、正面側の表面から所定の深さで、左右の縦木２，３と略同幅で、上下方向に横木左凹部８及び横木右凹部９が形成されている。横木左凹部８と、横木右凹部９とは、幅、深さが同一であり、また、各横木左凹部８は、上下方向の相対する位置に形成され、各横木右凹部９は、上下方向の相対する位置に形成されており、上端横木４と複数の汎用横木５とを上下方向に連結した構成において、上端横木４の横木左凹部８と、複数の汎用横木５の横木左凹部８とが連設されて、連通した一本の縦木連結左凹溝１０が形成され、上端横木４の横木右凹部９と、複数の汎用横木５の横木右凹部９とが連設されて、連通した一本の縦木連結右凹溝１１が形成されている。
【００２２】
この縦木連結左凹溝１０は、法面保護板型パネル１の左端近傍に形成され、縦木連結左凹溝１０には、大入れ接ぎにより、左側縦木２が嵌合されて連結され、また、縦木連結右凹溝１１は、法面保護板型パネル１の右端近傍に形成され、縦木連結右凹溝１１には、大入れ接ぎにより、右側縦木３が嵌合されて連結される構成とされている。縦木連結左凹溝１０と左側縦木２との接合部（各横木左凹部８）、及び、縦木連結右凹溝１１と右側縦木３との接合部（各横木右凹部９）には、接着剤が塗布される。
【００２３】
上述の説明で理解できるように、法面保護板型パネル１は、上端横木４と複数の汎用横木５とを、本実凹部６と本実凸部７とを本実結合して一枚の型パネルを形成し、この型パネルに形成された縦木連結左凹溝１０、及び、縦木連結右凹溝１１に、それぞれ、左側縦木２と右側縦木３とを嵌合して接合し、それぞれの接合部（各横木左凹部８、及び、各横木右凹部９）に接着剤を塗布することで、上端横木４と複数の汎用横木５と左側縦木２と右側縦木３とが連結固定される構成であるが、本考案では、さらに、竹櫛１２を用いることで、上端横木４及び汎用横木５と、左側縦木２及び右側縦木３との接合強度を向上させている。
【００２４】
図８に示すように、竹櫛１２は、竹製の釘状に形成されたもので、左右側縦木２，３と複数の横木（一つの上端横木４と複数の汎用横木５）とを連結した後で、左側縦木２と縦木連結左凹溝１０との接合部、また、右側縦木３と縦木連結右凹溝１１との接合部に打ち込まれ、左右側縦木２，３と、上端横木４及び複数の汎用横木５とを連結固定する。左側縦木２と、縦木連結左凹溝１０を構成する複数の横木左凹部８との接合部に打ち込まれた竹櫛１２の先端部は、左側縦木２の内部を貫通して、横木（上端横木４、汎用横木５）の内部に到達し、また、同様に、右側縦木３と、縦木連結右凹溝１１を構成する横木右凹部９との接合部に打ち込まれた竹櫛１２の先端部は、右側縦木３の内部を貫通して、横木（上端横木４、汎用横木５）の内部に到達している。このように、竹櫛１２を用いることで、法面保護板型パネル１の接合強度の向上が実現されている。
【００２５】
図１に示すように、上端横木４と左側縦木２との接合部の左側境界部、及び、下端の汎用横木５と左側縦木２との接合部の左側境界部には、それぞれ、竹櫛１２が２本ずつ打ち込まれ、上端横木４と右側縦木３との接合部の右側境界部、及び、下端の汎用横木５と右側縦木３との接合部の右側境界部には、それぞれ、竹櫛１２が２本ずつ打ち込まれている。
【００２６】
そして、上端横木４と下端の汎用横木５との間に連結された複数の汎用横木５と、左側縦木２との接合部には、左側境界部と右側境界部に交互に１本ずつ竹櫛１２が打ち込まれ、また、上端横木４と下端の汎用横木５との間に連結された複数の汎用横木５と、右側縦木３との接合部には、右側境界部と左側境界部に交互に１本ずつ竹櫛１２が打ち込まれている。このように、縦木（２，３）と横木（４，５）の接合部に、交互に竹櫛を打ち込むことで、縦木（２，３）と横木（４，５）の接合強度を向上させることができる。
【００２７】
法面保護板型パネル１の組立方としては、上端横木４と複数の汎用横木５とを、本実凹部６と本実凸部７とで本実接合し、複数の横木左凹部８で形成される縦木連結左凹溝１０に、接着剤を塗布した後、左側縦木２を大入れ接ぎで嵌合して連結し、また、複数の横木右凹部９で形成される縦木連結右凹溝１１に、接着剤を塗布した後、右側縦木３を大入れ接ぎで嵌合して連結し、前述した要領で、竹櫛１２を打ち込む方法でもよいし、左側縦木２と右側縦木３とを、縦木連結左凹溝１０と縦木連結右凹溝１１との間隔に対応する位置に配置し、縦木２，３と横木４，５との接合部に適宜接着剤を塗布しながら、まず最初に、縦木２，３に上端横木４を接合し、次に、縦木２，３に上端横木４とともに一枚目の汎用横木５を接合し、続けて、汎用横木５を順番に複数枚接合し、この間に、適宜、竹櫛１２を縦木２，３と横木４，５との接合部に打ち込んでいく方法でもよい。本考案の法面保護板型パネル１は、予め、工場等で所定形状に加工された、左側縦木２、右側縦木３、上端横木４、汎用横木５を、設置現場に運搬して、簡単に組み立てることができる。また、工場等で、予め組み立てておいた法面保護板型パネル１を、設置現場に運搬してもよい。
【００２８】
以上説明したように、本考案の法面保護板型パネル１は、金属部材を一切用いずに、木材と竹材のみで構成されているので、自然環境にやさしい構成であり、さらに、上述した接合により、従来の法面保護板型パネルよりも高い強度を有している。
【００２９】
法面保護板型パネル１は、設置現場では、複数枚を連結して、法面保護板型パネルシステム１００として利用されることが多い。図９は、法面Ｓに設置された法面保護板型パネルシステム１００の外観斜視図を示す。図９において、法面Ｓは、山の斜面を掘削して所定の斜面に形成されたものである。法面Ｓの下部は、整地された地盤Ｇである。
【００３０】
法面保護板型パネル１は、前述したように、設置現場で簡単に組み立てられるか、又は、予め工場等で簡単に組み立てられて設置現場に搬入されてもよい。組み立てられた法面保護板型パネル１は、まず、１枚の法面保護板型パネル１を、傾斜に沿って法面Ｓに設置する。このとき、左側縦木２及び右側縦木３の下端側の所定長が地盤Ｇに埋設されて、法面保護板型パネル１が地盤Ｇに固定される。
【００３１】
次に、２枚目の法面保護板型パネル１が、傾斜に沿って法面Ｓに設置されるが、同様に、左側縦木２及び右側縦木３の下端側の所定長が地盤Ｇに埋設されて、法面保護板型パネル１が地面Ｇに固定される。１枚目の法面保護板型パネル１の左側端部（上端横木４，汎用横木５の左側端部）と、２枚目の法面保護板型パネル１の右側端部（上端横木４，汎用横木５の右側端部）とは、接合又は連結されてよい。同様にして、所定枚数の法面保護板型パネル１を連設して、法面保護板型パネルシステム１００が構成される。
【００３２】
なお、本実施形態においては、上端横木４は、下面にのみ本実凹部６が形成されたものを用いたが、上端横木４に代えて、下面に本実凹部６が形成され、上面に本実凸部７が形成された汎用横木５を用いてもよい。
【符号の説明】
【００３３】
１      法面保護板型パネル
２      左側縦木
３      右側縦木
４      上端横木
５      汎用横木
６      本実凹部
７      本実凸部
８      横木左凹部
９      横木右凹部
１０    縦木連結左凹溝
１１    縦木連結右凹溝
１２    竹櫛
１００  法面保護板型パネルシステム
Ｇ      地盤
Ｓ      法面
【図１】
0003216997.tif 000003
【図２】
0003216997.tif 000004
【図３】
0003216997.tif 000005
【図４】
0003216997.tif 000006
【図５】
0003216997.tif 000007
【図６】
0003216997.tif 000008
【図７】
0003216997.tif 000009
【図８】
0003216997.tif 000010
【図９】
0003216997.tif 000011